(57)【要約】  本発明は、画像走査装置、画像走査光信号受信の制御方法及び装置を提供する。当該画像走査装置は、光信号を受信するように構成されたアレイ感光画素ユニットと、アレイ感光画素ユニットに接続され、アレイ感光画素ユニットによる光信号の受信を制御するように構成された制御回路と、を含む。本発明によると、従来技術における画像が走査周期の非露光時間内に外部の迷光の干渉を受けやすくて走査画像の品質が低減される問題を解決し、画像走査品質を向上させる効果を実現できる。【選択図】  図２
2021517380.tif 000002
【特許請求の範囲】
【請求項１】
光信号を受信するように構成されたアレイ感光画素ユニットと、
前記アレイ感光画素ユニットに接続され、前記アレイ感光画素ユニットによる光信号の受信を制御するように構成された制御回路と、を含む画像走査装置。
【請求項２】
前記制御回路は、
前記装置の光源が発光する場合、前記光源で前記画像が反射された光信号を受信するように前記アレイ感光画素ユニットの感光ドットを制御するための第１の制御パルス信号を送信する操作と、
前記装置の光源が発光しない場合、光信号の受信を停止するように前記アレイ感光画素ユニットの感光ドットを制御するための第２の制御パルス信号を送信する操作とのうちの少なくとも1つを実行するように構成された請求項１に記載の装置。
【請求項３】
前記制御回路は、
前記光源からの前記第１の制御パルス信号を受信し、前記第１の制御パルス信号に基づいて、前記光源で前記画像が反射された光信号を受信するように前記アレイ感光画素ユニットを制御するか、又は、前記第２の制御パルス信号に基づいて、光信号の受信を停止するように前記アレイ感光画素ユニットを制御するように構成された制御スイッチを含む請求項２に記載の装置。
【請求項４】
前記アレイ感光画素ユニットは、さらに、
前記光信号を電気信号に変換し、前記電気信号を電荷として保存するように構成された請求項１に記載の装置。
【請求項５】
前記アレイ感光画素ユニットに接続されて、各画像走査周期内で前記アレイ感光画素ユニットが保存した電荷をリセットするように構成されたリセット回路をさらに含む請求項４に記載の装置。
【請求項６】
前記アレイ感光画素ユニットに接続されて、前記電気信号を前記スイッチ回路に接続されたコンデンサに保存するように構成されたスイッチ回路と、
前記コンデンサに接続されて、前記コンデンサから伝送された電気信号を受信し、前記電気信号の出力を制御するように構成された走査回路と、
前記走査回路に接続されて、前記走査回路から出力された電気信号を受信し、前記出力された電気信号に処理を行うように構成された電気信号処理回路と、をさらに含む請求項４に記載の装置。
【請求項７】
前記電気信号処理回路は、処理後の電気信号を増幅して前記画像のアナログ電圧信号を出力するように構成されたアンプを含む請求項６に記載の装置。
【請求項８】
アレイ感光画素ユニットによる光信号の受信を制御するための制御信号を前記アレイ感光画素ユニットに送信することを含む画像走査光信号受信の制御方法。
【請求項９】
前記制御信号を前記アレイ感光画素ユニットに送信することは、
光源が発光する場合、前記光源からの第１の制御パルス信号を受信することと、
前記第１の制御パルス信号を前記アレイ感光画素ユニットに送信して、前記光源で前記画像が反射された光信号を受信するように前記アレイ感光画素ユニットの感光ドットを制御することと、を含む請求項８に記載の方法。
【請求項１０】
前記制御信号を前記アレイ感光画素ユニットに送信することは、
光源が発光しない場合、前記光源からの第２の制御パルス信号を受信することと、
前記第２の制御パルス信号を前記アレイ感光画素ユニットに送信して、光信号の受信を停止するように前記アレイ感光画素ユニットの感光ドットを制御することと、を含む請求項８に記載の方法。
【請求項１１】
アレイ感光画素ユニットによる光信号の受信を制御するための制御信号を、前記アレイ感光画素ユニットに送信するように構成された送信モジュールを含む画像走査光信号受信の制御装置。
【請求項１２】
前記送信モジュールは、
光源が発光する場合、前記光源からの第１の制御パルス信号を受信するように構成された第１の受信ユニットと、
前記第１の制御パルス信号を前記アレイ感光画素ユニットに送信して、前記光源で前記画像が反射された光信号を受信するように前記アレイ感光画素ユニットの感光ドットを制御するように構成された第１の送信ユニットと、を含む請求項１１に記載の装置。
【請求項１３】
前記送信モジュールは、
前記装置の光源が発光しない場合、前記光源からの第２の制御パルス信号を受信するように構成された第２の受信ユニットと、
前記第２の制御パルス信号を前記アレイ感光画素ユニットに送信して、光信号の受信を停止するように前記アレイ感光画素ユニットの感光ドットを制御するように構成された第２の送信ユニットと、をさらに含む請求項１１に記載の装置。
【請求項１４】
実行されると請求項１乃至１０のうちのいずれか１項に記載の方法を実現するように構成されたコンピュータプログラムが記憶された記憶媒体。
【請求項１５】
メモリとプロセッサとを含む電子装置であって、
前記メモリにコンピュータプログラムが記憶され、前記プロセッサは前記コンピュータプログラムを実行することで請求項８乃至１０のうちのいずれか１項に記載の方法を実現するように構成された電子装置。
【発明の詳細な説明】
【技術分野】
【０００１】
本発明は、通信分野に関し、具体的に、画像走査装置、画像走査光信号受信の制御方法及び装置に関する。
【背景技術】
【０００２】
金融機器における接触型イメージセンサーの適用はますます広くなっており、金融環境の複雑化に伴って、走査画像の品質に対する金融機器の要求も高まっていき、接触型イメージセンサーは、金融機器における核心イメージング部品として、その性能が金融機器の性能に直接影響を与えることになる。
【０００３】
接触型イメージセンサーは、線形アレイ走査機器として、感光画素ユニットが線形アレイ状に密接に配列されており、各読取周期において、画素それぞれの露光時間（電荷蓄積時間）は一致し、電荷蓄積時間が終了すると、シフトレジスタによりアナログスイッチを制御して一回にオンして画素の電気信号をアナログ信号として順に出力することで、原稿のアナログ画像信号を得て、１行の画像の走査を完了する。続いて、原稿全体の画面を走査して画像を形成するまで、原稿と接触型イメージセンサーとの相対的位置を調節して、その次の行の画像の走査を行う。
【０００４】
上記接触型イメージセンサーの作業中に、露光時間は各行の走査周期の一部のみを占め、当該露光時間内において、光源からの光が原稿に照射され、原稿で反射された光は感光性チップで受光され、電荷を蓄積してアナログ出力量を形成する。しかしながら、行走査周期において、光が照射される時間以外の他の時間では、外部の迷光の干渉による影響で感光性チップに余計な干渉電気量が蓄積されて、感光性チップから外部へ出力するアナログ信号が実際の原稿画像情報と差異が存在することになり、走査画像の品質に影響を与えてしまう。
【０００５】
要するに、従来技術には、画像が走査周期の非露光時間内に外部の迷光の干渉を受けやすくて走査画像の品質が低減される課題が存在する。
【０００６】
上記課題について、従来技術においてまだ有効な解決案が提示されていない。
【発明の概要】
【発明が解決しようとする課題】
【０００７】
本発明の実施例において、少なくとも従来技術における画像が走査周期の非露光時間内に外部の迷光の干渉を受けやすくて走査画像の品質が低減される課題を解決できる画像走査装置、画像走査光信号受信の制御方法及び装置を提供する。
【課題を解決するための手段】
【０００８】
本発明の一実施例によると、光信号を受信するように構成されたアレイ感光画素ユニットと、前記アレイ感光画素ユニットに接続され、前記アレイ感光画素ユニットによる光信号の受信を制御するように構成された制御回路と、を含む画像走査装置を提供する。
【０００９】
また、前記制御回路は、前記装置の光源が発光する場合、前記光源で前記画像が反射された光信号を受信するように前記アレイ感光画素ユニットの感光ドットを制御するための第１の制御パルス信号を送信する操作と、前記装置の光源が発光しない場合、光信号の受信を停止するように前記アレイ感光画素ユニットの感光ドットを制御するための第２の制御パルス信号を送信する操作とのうちの少なくとも1つを実行するように構成されることができる。
【００１０】
また、前記制御回路は、前記光源からの前記第１の制御パルス信号を受信し、前記第１の制御パルス信号に基づいて、前記光源で前記画像が反射された光信号を受信するように前記アレイ感光画素ユニットを制御するか、又は、前記第２の制御パルス信号に基づいて、光信号の受信を停止するように前記アレイ感光画素ユニットを制御するように構成された制御スイッチを含むことができる。
【００１１】
また、前記アレイ感光画素ユニットは、さらに、前記光信号を電気信号に変換し、前記電気信号を電荷として保存するように構成されることができる。
【００１２】
また、前記画像走査装置は、前記アレイ感光画素ユニットに接続されて、各画像走査周期内で前記アレイ感光画素ユニットが保存した電荷をリセットするように構成されたリセット回路をさらに含むことができる。
【００１３】
また、前記画像走査装置は、前記アレイ感光画素ユニットに接続されて、前記電気信号を前記スイッチ回路に接続されたコンデンサに保存するように構成されたスイッチ回路と、前記コンデンサに接続されて、前記コンデンサから伝送された電気信号を受信し、前記電気信号の出力を制御するように構成された走査回路と、前記走査回路に接続されて、前記走査回路から出力された電気信号を受信し、前記出力された電気信号に処理を行うように構成された電気信号処理回路と、をさらに含むことができる。
【００１４】
また、前記電気信号処理回路は、処理後の電気信号を増幅して前記画像のアナログ電圧信号を出力するように構成されたアンプを含むことができる。
【００１５】
本発明の他の一実施例によると、アレイ感光画素ユニットによる光信号の受信を制御するための制御信号を前記アレイ感光画素ユニットに送信することを含む画像走査光信号受信の制御方法を提供する。
【００１６】
また、前記制御信号を前記アレイ感光画素ユニットに送信することは、光源が発光する場合、前記光源からの第１の制御パルス信号を受信することと、前記第１の制御パルス信号を前記アレイ感光画素ユニットに送信して、前記光源で前記画像が反射された光信号を受信するように前記アレイ感光画素ユニットの感光ドットを制御することと、を含むことができる。
【００１７】
また、前記制御信号を前記アレイ感光画素ユニットに送信することは、前記装置の光源が発光しない場合、前記光源からの第２の制御パルス信号を受信することと、前記第２の制御パルス信号を前記アレイ感光画素ユニットに送信して、光信号の受信を停止するように前記アレイ感光画素ユニットの感光ドットを制御することと、を含むことができる。
【００１８】
本発明の他の一実施例によると、アレイ感光画素ユニットによる光信号の受信を制御するための制御信号を、前記アレイ感光画素ユニットに送信するように構成された送信モジュールを含む画像走査光信号受信の制御装置を提供する。
【００１９】
また、前記送信モジュールは、光源が発光する場合、前記光源からの第１の制御パルス信号を受信するように構成された第１の受信ユニットと、前記第１の制御パルス信号を前記アレイ感光画素ユニットに送信して、前記光源で前記画像が反射された光信号を受信するように前記アレイ感光画素ユニットの感光ドットを制御するように構成された第１の送信ユニットと、を含むことができる。
【００２０】
また、前記送信モジュールは、前記装置の光源が発光しない場合、前記光源からの第２の制御パルス信号を受信するように構成された第２の受信ユニットと、前記第２の制御パルス信号を前記アレイ感光画素ユニットに送信して、光信号の受信を停止するように前記アレイ感光画素ユニットの感光ドットを制御するように構成された第２の送信ユニットと、をさらに含むことができる。
【００２１】
本発明のさらなる他の一実施例によると、実行されると上述したいずれかの１項の方法実施例におけるステップを実現するように構成されたコンピュータプログラムが記憶された記憶媒体を提供する。
【００２２】
本発明のさらなる他の一実施例によると、メモリとプロセッサとを含む電子装置であって、前記メモリにコンピュータプログラムが記憶され、前記プロセッサは前記コンピュータプログラムを実行することで上述したいずれかの１項の方法実施例におけるステップを実現するように構成された電子装置を提供する。
【発明の効果】
【００２３】
本発明によると、画像走査装置におけるアレイ感光画素ユニットが光信号を受信するように構成され、制御回路がアレイ感光画素ユニットに接続されて、アレイ感光画素ユニットによる光信号の受信を制御するように構成されることで、制御回路がアレイ感光画素ユニットによる光信号の受信又は非受信を制御可能であり、即ち、外部の迷光を受信しないことが可能である。よって、従来技術における、画像が走査周期の非露光時間内に外部の迷光の干渉を受けやすくて走査画像の品質が低減される課題を解決し、画像走査の品質を向上させる効果を実現できる。
【図面の簡単な説明】
【００２４】
ここで説明する図面は本発明を一層理解させるためのもので、本願の一部を構成し、本発明に示す実施例及びその説明は本発明を解釈するもので、本発明を限定するものではない。
【図１】本発明の実施例に係る画像走査光信号受信の制御方法の移動端末のハードウェア構造を示すブロック図である。
【図２】本発明の実施例に係る画像走査光信号受信の制御方法のフローチャートである。
【図３】本発明の実施例に係る光電変換チップを示す図である。
【図４】本発明の実施例に係る制御回路を示す図である。
【図５】本発明の実施例に係る光電変換チップの内部制御原理を示すブロック図である。
【図６】本発明の実施例に係る内部ロジック制御シーケンスを示す図（一）である。
【図７】本発明の実施例に係る内部ロジック制御シーケンスを示す図（二）である。
【図８】本発明の実施例に係る接触型イメージセンサーの構造を示す図である。
【図９】本発明の実施例に係る接触型イメージセンサーの光電変換チップの接続方式を示す図である。
【図１０】従来技術における接触型イメージセンサーのシーケンス図である。
【図１１】本発明の実施例に係る接触型イメージセンサーのシーケンス図である。
【図１２】本発明の実施例に係る画像走査光信号受信の制御装置の構造を示すブロック図である。
【発明を実施するための形態】
【００２５】
以下、図面を参照しつつ実施例を結合して本発明を詳しく説明する。なお、矛盾しない限り、本願の実施例及び実施例における特徴を互いに組み合わせることができる。
【００２６】
なお、本発明の明細書、特許請求の範囲及び上記図面における「第１」、「第２」等の用語は類似する対象を区別するためのものであり、特定の順又は先後順を限定するものではない。
【００２７】
実施例１
本願の実施例１による方法実施例は、移動端末、コンピュータ端末又は類似する演算装置において実行されることができる。移動端末で実行される場合を例にすると、図１は本発明の実施例の画像走査光信号受信の制御方法を用いる移動端末のハードウェア構造を示すブロック図である。図１に示すように、移動端末１１０は、1つ又は複数の（図１においては1つのみを示す）プロセッサ１１０２（プロセッサ１１０２としては、マイクロプロセッサＭＣＵ又はプログラム可能な論理コンポーネントＦＰＧＡ等の処理装置を含むことができるがこれに限定されることはない）と、データを記憶するように構成されたメモリ１１０４と、を含むことができ、また、上記移動端末は、通信機能を有するように構成された伝送装置１１０６と入出力装置１１０８とをさらに含むことができる。図１に示す構造は例示的なものであり、上記移動端末の構造を限定するものではないことを当業者は理解できる。例えば、移動端末１１０は、図１に示す部品より多い又は少ない部品をさらに含むことができ、あるいは、図１と異なる配置であることもできる。
【００２８】
メモリ１１０４は、例えば、アプリケーションのソフトプログラム及びモジュール等のコンピュータプログラムを記憶可能に構成され、例えば本発明の実施例における画像走査光信号受信の制御方法に対応するコンピュータプログラムを記憶し、プロセッサ１１０２はメモリ１１０４内に記憶されたコンピュータプログラムを実行することで、各種の機能アプリケーション及びデータ処理を実行し、即ち、上記方法を実現する。メモリ１１０４は高速ランダムメモリを含むことができ、1つ又は複数の磁気記憶装置、フラッシュメモリ等の不揮発性メモリ、又は他の不揮発性固体メモリを含むこともできる。一部の実例において、メモリ１１０４は、プロセッサ１１０２に対して遠隔に設置されたメモリをさらに含むことができ、これらの遠隔メモリはネットワークを介して移動端末１１０に接続されることができる。上記ネットワークの実例には、インターネット、イントラネット、ローカルエリアネットワーク、移動通信ネットワーク及びその組み合わせが含まれるが、これらに限定されることはない。
【００２９】
伝送装置１１０６は、1つのネットワークを介してデータを受信又は送信するように構成される。上記ネットワークの具体的な実例には、移動端末１１０の通信プロバイダーにより提供される無線ネットワークが含まれる。一実例において、伝送装置１１０６は、1つのネットワークインターフェースコントローラー（Ｎｅｔｗｏｒｋ  Ｉｎｔｅｒｆａｃｅ  Ｃｏｎｔｒｏｌｌｅｒ、ＮＩＣと略称する）を含み、基地局を介して他のネットワーク機器に接続されて、インターネットと通信を行うことができる。一実例において、伝送装置１１０６は無線周波数（Ｒａｄｉｏ  Ｆｒｅｑｕｅｎｃｙ、ＲＦと略称する）モジュールであることができ、無線方式でインターネットと通信するように構成されることができる。
【００３０】
本実施例において画像走査装置を提供し、具体的には、光信号を受信するように構成されたアレイ感光画素ユニットと、上記アレイ感光画素ユニットに接続されて、上記アレイ感光画素ユニットによる光信号の受信を制御するように構成された制御回路と、を含む。本実施例において、制御回路はアレイ感光画素ユニットを制御して光信号を受信したり又は受信しないことができ、即ち、外部の迷光を受光しないことができる。よって、従来技術における、画像が走査周期の非露光時間内に外部の迷光の干渉を受けやすくて走査画像の品質が低減される課題を解決し、画像走査品質を向上させる効果を実現することができる。
【００３１】
選択可能な一実施例において、上記制御回路は、上記装置の光源が発光する場合、上記光源で上記画像が反射された光信号を受信するように上記アレイ感光画素ユニットの感光ドットを制御するための第１の制御パルス信号を送信する操作と、上記装置の光源が発光しない場合、光信号の受信を停止するように上記アレイ感光画素ユニットの感光ドットを制御するための第２の制御パルス信号を送信する操作のうちの少なくとも1つを実行するように構成される。本実施例において、制御回路の制御信号は、光源の光信号のみを受信するようにアレイ感光画素ユニットを制御することができ、外部の迷光の光信号は受信することはなく、即ち、画像走査の品質を向上させることができる。
【００３２】
選択可能な一実施例において、上記制御回路は、上記光源からの第１の制御パルス信号を受信し、上記第１の制御パルス信号に基づいて、上記光源で上記画像が反射された光信号を受信するように上記アレイ感光画素ユニットを制御するか、又は、上記第２の制御パルス信号に基づいて、光信号の受信を停止するように上記アレイ感光画素ユニットを制御するように構成された制御スイッチを含む。本実施例において、制御スイッチは、光源に接続されており、光源のパルス信号に基づいてリアルタイムに異なる制御パルス信号を発生させてアレイ感光画素ユニットのオン又はオフを制御することができる。
【００３３】
選択可能な一実施例において、上記アレイ感光画素ユニットは、さらに、上記光信号を電気信号に変換し、上記電気信号を電荷として保存するように構成される。
【００３４】
選択可能な一実施例において、上記画像走査装置は、上記アレイ感光画素ユニットに接続されて、上記アレイ感光画素ユニットが各画像走査周期内で保存した電荷のリセットを行うように構成されたリセット回路をさらに含む。本実施例において、リセット回路により感光画素ユニットのリセットを実現でき、各行走査周期が開始すると、その直前の行走査周期において感光画素ユニットが蓄積した電荷をゼロにすることで、行間の干渉の発生を防止する。
【００３５】
選択可能な一実施例において、上記画像走査装置は、上記アレイ感光画素ユニットに接続されて、上記電気信号を上記スイッチ回路に接続されたコンデンサに保存するように構成されたスイッチ回路と、上記コンデンサに接続されて、上記コンデンサから伝送された電気信号を受信し、上記電気信号の出力を制御するように構成された走査回路と、上記走査回路に接続されて、上記走査回路から出力された電気信号を受信し、上記出力された電気信号に処理を行うように構成された電気信号処理回路と、をさらに含む。上記電気信号処理回路は、処理後の電気信号を増幅して上記画像のアナログ電圧信号を出力するように構成されたアンプを含む。本実施例において、上記スイッチ回路は、主に、アレイ感光画素ユニットの保存した電荷を伝送し、ビットＢｉｔ−ｓ出力信号を形成し、Ｂｉｔ−ｓ信号は電気信号処理回路の処理を経て、最終的に増幅処理を経た変速一体化発電機（Ｖａｒｉａｂｌｅ  Ｓｐｅｅｄ  Ｉｎｔｅｇｒａｔｅｄ  Ｇｅｎｅｒａｔｏｒ  Ｃｏｎｆｉｄｅｎｔｉａｌ、ＶＳＩＧと略称する）信号を出力し、ＶＳＩＧ信号は各感光画素ユニットの受信した光照射情報から変換された電気信号のアナログ電圧信号である。
【００３６】
実施例２：
本実施例において画像走査光信号受信の制御方法を提供し、図２は本発明の実施例に係る画像走査光信号受信の制御方法のフローチャートである。図２に示すように、このプロセスは以下のステップＳ２２０２を含む。
【００３７】
ステップＳ２２０２において、アレイ感光画素ユニットに制御信号を送信する。ここで、上記制御信号は、上記アレイ感光画素ユニットによる光信号の受信を制御するものである。
【００３８】
上記ステップによって、制御回路は、アレイ感光画素ユニットに制御信号を送信してアレイ感光画素ユニットによる光信号の受信を制御する。これにより、制御回路がアレイ感光画素ユニットによる光信号の受信又は非受信を制御することができ、即ち、外部の迷光を受信しないことができる。よって、従来技術における、画像が走査周期の非露光時間内に外部の迷光の干渉を受けやすくて走査画像の品質が低減される課題を解決し、画像走査品質を向上させる効果を実現することができる。
【００３９】
また、上記ステップの実行主体は制御回路等であることができるが、これに限定されることはない。
【００４０】
選択可能な一実施例において、上記アレイ感光画素ユニットに上記制御信号を送信することは、光源が発光する場合、上記光源からの第１の制御パルス信号を受信することと、上記第１の制御パルス信号を上記アレイ感光画素ユニットに送信して、上記光源で上記画像が反射された光信号を受信するように上記アレイ感光画素ユニットの感光ドットを制御することと、を含むことができる。
【００４１】
選択可能な一実施例において、上記アレイ感光画素ユニットに上記制御信号を送信することは、上記装置の光源が発光しない場合、上記光源からの第２の制御パルス信号を受信することと、上記第２の制御パルス信号を上記アレイ感光画素ユニットに送信して、光信号の受信を停止するように上記アレイ感光画素ユニットの感光ドットを制御することと、を含むことができる。
【００４２】
上記実施例において、上述した第１の制御パルス信号はハイレベル信号に基づいて生成されるものであり、上述した第２の制御パルス信号はローレベル信号に基づいて生成されるものである。
【００４３】
以下、具体的な実施例を結合して本発明を詳しく説明する。
【００４４】
本実施例において、主に、行走査周期内において露光時間を精確に制御可能な光電変換チップとそれからなる接触型イメージセンサーを提供する。行走査周期内において、露光時間以外の迷光の干渉による画像品質の低下問題を解決することができる。
【００４５】
本実施例における光電変換チップは、アレイ感光画素ユニットと制御回路との２つの部分からなり、ここで、アレイ感光画素ユニットは外部の光照射を受けて光照射の情報を電気信号に変換するように構成され、制御回路部分は光電変換チップのシーケンス、動作モード、アナログ電気信号の記憶や出力等を制御するように構成される。
【００４６】
本実施例におけるアレイ感光画素ユニットの露光時間を制御回路により精確に制御して、感光画素ユニットの受信した光情報の正確性を効果的に制御し、外部迷光の干渉を最大限に回避し、画像走査品質を向上させる。
【００４７】
各行走査周期内において、画像読取装置の光源が点灯された時、アレイ感光画素ユニットは制御信号の制御によって感光オン状態になり、すべてのドット（上述した感光ドットに対応する）は原稿（上述した画像に対応する）から反射された光情報を受信し、画像読取装置の光源が滅灯された時、アレイ感光画素ユニットは制御信号の制御によって感光オフ状態になり、すべてのドットは如何なる光照射情報も受信しなくなる。このような感光画素ユニットの光信号受信機能のオン・オフを精確に制御することで、画像読取装置の光源以外の他の光源の照射による無効信号の干渉を効果的に回避し、画像読取装置から出力される電気信号の信号対ノイズ比を向上させ、画像走査品質を向上させる。
【００４８】
本実施例において、上記光電変換チップからなる接触型イメージセンサー（上述した画像走査装置に相当する）をさらに提供する。支持機能を果たす筐体を含み、筐体内に光学レンズが設置され、レンズの側面に光源が設置され、レンズの下方に回路基板が設置され、回路基板上にセンサーチップが設置されて、センサーチップの行走査周期内の露光時間が精確に制御される。
【００４９】
接触型イメージセンサーが画像を走査する過程において、接触型イメージセンサーの光源が点灯された時、センサーチップ上のアレイ感光画素ユニットは制御信号の制御によって感光オン状態になり、すべてのドットは原稿から反射された光情報を受信し、接触型イメージセンサーの光源が滅灯された時、センサーチップ上のアレイ感光画素ユニットは制御信号の制御によって感光オフ状態になり、すべてのドットは如何なる光照射情報も受信しなくなる。このような感光画素ユニットの光信号受信機能のオン・オフを精確に制御することで、接触型イメージセンサーの光源以外の他の光源の照射による無効信号の干渉を効果的に回避し、接触型イメージセンサーから出力される電気信号の信号対雑音比を向上させ、画像走査品質を向上させる。
【００５０】
図３に示すように、アレイ感光画素ユニット１０１と、制御回路１０２との２つの部分からなる光電変換チップ１を提供し、ここで、アレイ感光画素ユニット１０１に感光画素ユニット１０３（上述した感光ドットに対応する）が線形に配列され、外部光源の照射を受光するように構成され、感光画素ユニットは感光性材料からなり、一定の時間内で受光した光照射を累積して電荷に変換させて蓄積し、光信号から電気信号への変換を実現することができる。制御回路部分１０２は、光電変換チップのシーケンス、動作モード、アナログ電気信号の記憶や出力等を制御するように構成され、その上に電気信号の入力と出力を行うように構成された複数の信号入出力端１０４を有する。図４は制御回路１０２の詳細を示す図であり、アンプの部分、ラインレジスタの部分、スイッチ部と、走査回路と、制御回路との部分、並びに、増幅回路と、信号入出力端との部分の４つの部分から構成される。
【００５１】
本実施例の光電変換チップの内部制御原理を示すブロック図は図５に示すとおりで、本実施例における光電変換チップは主に、リセット回路と、光電変換回路と、ラインレジスタ及びスイッチ回路と、走査回路と、電気信号処理回路の幾つかの部分から構成される。ここで、リセット回路は感光画素ユニットのリセットを実現することができ、各行走査周期が開始すると、その直前の行走査周期において感光画素ユニットが蓄積した電荷をゼロにすることで、行間の干渉の発生を防止する。光電変換回路における感光画素ユニットは、光照射を受光した後、光信号を電気信号に変換して電荷として保存し、伝送する。光電変換回路の電気出力信号はスイッチφｔの制御によってコンデンサＣｔに記憶され、走査回路の出力信号ｓｃｈ−ｎの制御で、１つずつ出力され、図７に示すように、Ｂｉｔ−ｓ出力信号を形成し、Ｂｉｔ−ｓ信号は電気信号処理回路の処理を経て、最終的に増幅処理を経たＶＳＩＧ信号を出力し、ＶＳＩＧ信号は各感光画素ユニットの受信した光照射情報から変換された電気信号のアナログ電圧信号である。
【００５２】
本実施例におけるセンサーチップは、受光回路の制御スイッチφｃ（上述した制御スイッチに対応する）を追加し、φｃは外部ｌｅｄの点灯パルス信号と関連付けられており、ｌｅｄ制御パルス信号に同期するパルス信号であり、感光画素ユニットを制御して外部の光照射を受けるスイッチの機能を果たし、図６に示すように、光電変換チップは行走査周期を開始した時点からパルスＳＩ信号の正方向パルスによる起動で動作状態になり始め、φｔが高電位である場合、直前の行走査周期においてコンデンサＣｔに保存された電荷は電気信号処理回路へ出力され始め、電気信号の出力が完了すると、リセット信号φｒｅｓｅｔ信号の出力は高電位となり、この時、感光画素ユニットがリセットされ、リセットが完了すると、各感光画素ユニットに蓄積された電荷はゼロになる。外部光源点灯パルスＬＥＤ信号が高電位であるとともに、感光画素ユニットの受光オンオフ信号φｃが高電位であると、この時、感光画素ユニットは受光オン状態となり、外部の光源がＬＥＤパルスの制御で発光し始め、原稿を照射し、原稿による反射光が感光画素ユニットに受光され、電荷に変換されて保存され、外部光源点灯パルスＬＥＤ信号が低電位であるとともに、感光画素ユニットの受光オンオフ信号φｃが低電位であると、この時、感光画素ユニットは受光オフ状態となり、同時に、感光画素ユニットは如何なる光照射情報も受信しなくなり、保存された電荷量は変化しない。感光画素ユニットが上述した光信号から電気信号への変換を完了した後、感光画素ユニットが保存した電荷は、図５に示す走査回路と電気信号処理回路の制御によって、図７示すように伝送され、最後の走査電気信号の出力を完了する。感光画素ユニットの受光オンオフφｃが存在するため、感光画素ユニットの受信した光情報のすべてが、光源を原稿に照射して生じた反射光に由来し、理論的に他の外部の迷光の干渉を受けることはないため、本実施例におけるセンサーチップの出力信号は原稿の情報を一層真実に還元でき、画像走査品質を向上させる。
【００５３】
本実施例における感光画素ユニットの露光時間を制御回路が精確に制御することで、感光画素ユニットの受信した光情報の正確性を効果的に制御でき、外部の迷光の干渉を最大限に回避し、画像走査品質を向上させる。
【００５４】
図８に示すように、本実施例において、センサーチップの行走査周期内の露光時間を精確に制御可能な光電変換チップ２０１と、原稿へ光を照射するように構成された光源２０２と、全体構造を支持するように構成された筐体２０３と、ほこりに汚染されないように内部の構造を保護するためのガラスカバー２０４と、光を光電変換チップに集光させるためのレンズ２０５と、光電変換チップと他の回路が搭載される回路基板２０６と、を含む、上記光電変換チップからなる接触型イメージセンサー２を提供する。
【００５５】
接触型イメージセンサーは線形アレイスキャン装置であり、感光画素ユニットを線形アレイ状に密接に配列し、各読取周期において、画素それぞれの露光時間（電荷蓄積時間）は一致し、電荷蓄積時間が終了すると、シフトレジスタによりアナログスイッチを制御して一回にオンして画素の電気信号をアナログ信号として順に出力することで、原稿のアナログ画像信号を得て、１行の画像の走査を完了する。続いて、原稿全体の画面を走査して画像を形成するまで、原稿と接触型イメージセンサーとの相対的位置を調節して、その次の行の画像の走査を行う。
【００５６】
本実施例における光電変換チップ２０１は、図９に示す方式で接続される。接触型イメージセンサー２が画像を走査する過程において、接触型イメージセンサーの光源２０２が点灯された時、センサーチップ上のアレイ感光画素ユニットは制御信号ＣＮＴの制御によって感光オン状態になり、すべての感光画素ユニットは、原稿から反射されてレンズ２０５を通過した光情報を受信し、接触型イメージセンサーの光源が滅灯された時、センサーチップ上のアレイ感光画素ユニットは制御信号ＣＮＴの制御によって感光オフ状態になり、すべての感光画素ユニットは如何なる光照射情報も受信しなくなる。このような感光画素ユニットが有効な光照射を精確に受信するように制御することで、光電変換チップの電気信号の出力が原稿情報の出力を真実に反映するように確保することで、画像の品質を保証できる。
【００５７】
従来技術の接触型イメージセンサーの動作シーケンス図は図１０に示すとおりで、クロックＣＬｏｃＫ（ＣＬＫ）はシステム動作のクロック信号で、ＳＩは行走査周期制御信号で、ＬＥＤは光源制御信号で、ＳＩＧは電気出力信号である。各行周期内において、装置の光源が点灯されると、即ち、ＬＥＤ信号がハイレベルである場合、光電変換チップの感光画素ユニット１０３が受信する光は光源から原稿を照射して反射された光であり、この時の光信号は原稿の内容を表す有効な光信号であり、光電変換を経てＳＩＧ電気出力信号における、点線で示す有効な光照射出力電気信号を形成する。ＬＥＤ信号がローレベルである場合、理論的に、原稿は如何なる光源の照射も受光しなくなり、感光画素ユニット１０３に反射することもなく、この時、ＳＩＧ電気出力信号へ変換される新たな光エネルギーが累積されることはない。ただし、実際の適用において、装置のシールと光遮断の不備で、光源の照射がない場合でも、光電変換チップが依然として外部の干渉迷光を受光し、これにより、実際のＳＩＧ電気出力信号は、有効な光照射による電気信号以外に外部の干渉迷光による電気信号も含み、即ち、図１０におけるＳＩＧ実線部分も含む。このように、外部の干渉迷光の影響によって、ＳＩＧ電気出力信号の信号対ノイズ比が低下し、必ず画像走査の品質に影響を与えてしまう。
【００５８】
本実施例における接触型イメージセンサーの動作シーケンス図は図１１に示すとおりで、ＣＬＫはシステム動作のクロック信号で、ＳＩは行走査周期制御信号で、ＬＥＤは光源制御信号で、ＣＮＴ信号は感光画素ユニット制御信号で、ＳＩＧは電気出力信号である。各行周期内において、装置の光源が点灯された時、即ちＬＥＤ信号がハイレベルである場合、それに従って、制御信号ＣＮＴもハイレベルになり、光電変換チップの感光画素ユニット１０３は制御信号ＣＮＴの制御でオンされ、原稿から反射された光を受光し、この時の光信号は原稿の内容を表す有効な光信号であり、光電変換された後にＳＩＧ電気出力信号における、点線部分で示す有効な光照射出力電気信号を形成する。ＬＥＤ信号がローレベルである場合、それに従って、制御信号ＣＮＴもローレベルになり、この時、光電変換チップの感光画素ユニット１０３は制御信号ＣＮＴの制御でオフされ、如何なる光信号も受信しなくなり、この時、ＳＩＧ電気出力信号へ変換される新たな光エネルギーが累積されることはない。よって、光電変換チップのＳＩＧ電気出力信号は図１１におけるＳＩＧ実線部分になる。理想的には、上記ＳＩＧの点線部分と実線部分が完全に重なるべきであるが、ＣＮＴ信号とＬＥＤ信号の時間遅延があるため、光源の露光中の迷光による干渉等の要因で両者の間に微細な差異が発生してしまう。ただし、このような差異は非常に小さく、他の手段、例えばより良好なハードウェア回路で遅延を低減させたり、装置内部の非反射処理等の方法によって改善することができる。
【００５９】
このような感光画素ユニットによる光信号の受信機能のオン・オフを精確に制御することで、接触型イメージセンサーの光源以外の他の光源の照射による無効信号の干渉を効果的に回避し、接触型イメージセンサーから出力される電気信号の信号対ノイズ比を向上させ、画像走査品質を向上させる。
【００６０】
以上の実施形態の説明から、上記実施例に係る方法をソフトウェアに必要な汎用のハードウェアプラットフォームを組合せた方式で実現でき、ハードウェアによって実現することもできるが、多くの場合、前者の方法で実施することが好ましいことを、当業者は理解できる。これに基づいて、本発明の技術案の本質又は従来技術に貢献のある部分をソフトウェア製品の形で実現することができ、そのコンピュータソフトウェア製品は、端末機器（携帯電話、コンピュータ、サーバ、又は、ネットワーク機器等であることができる）に本発明の各実施例に記載の方法を実現させるようにいくつかの命令を含み、記憶媒体（例えば、ＲＯＭ/ＲＡＭ、ディスク、ＣＤ）に記憶されることができる。
【００６１】
実施例３
本実施例において画像走査光信号受信の制御装置を提供し、この装置は上記実施例及び好適な実施形態を実現するように構成され、すでに説明された部分の説明は省略する。以下に使用される用語の「モジュール」は所定の機能を実現可能なソフトウェア及び/又はハードウェアの組み合わせである。以下の実施例で説明する装置をソフトウェアで実現することが好ましいが、ハードウェア又はソフトウェアとハードウェアとの組み合わせによって実現することも可能で仮定できる。
【００６２】
図１２は本発明の実施例に係る画像走査光信号受信の制御装置の構造を示すブロック図で、図１２に示すように、この装置は送信モジュール１２０２を含み、以下、この装置を詳しく説明する。
【００６３】
送信モジュール１２０２は、アレイ感光画素ユニットに制御信号を送信するように構成され、ここで、前記制御信号は前記アレイ感光画素ユニットによる光信号の受信を制御するためのものである。
【００６４】
選択可能な一実施例において、前記送信モジュール１２０２は、光源が発光する場合、前記光源からの第１の制御パルス信号を受信するように構成された第１の受信ユニットと、前記第１の制御パルス信号を前記アレイ感光画素ユニットに送信して、前記光源で前記画像が反射された光信号を受信するように前記アレイ感光画素ユニットの感光ドットを制御するように構成された第１の送信ユニットと、を含む。
【００６５】
選択可能な一実施例において、前記送信モジュール１２０２は、前記装置の光源が発光しない場合、前記光源からの第２の制御パルス信号を受信するように構成された第２の受信ユニットと、前記第２の制御パルス信号を前記アレイ感光画素ユニットに送信して、光信号の受信を停止するように前記アレイ感光画素ユニットの感光ドットを制御するように構成された第２の送信ユニットと、を含む。
【００６６】
なお、上記各モジュールはソフトウェア又はハードウェアによって実現でき、後者の場合、上記モジュールを全部1つのプロセッサに設置するか、又は、上記各モジュールを任意に組み合わせた形で異なるプロセッサに設置する方式で実現することができるが、これに限定されることはない。
【００６７】
本発明の実施例によると、コンピュータプログラムが記憶された記憶媒体を提供し、ここで、このコンピュータプログラムは、実行される際、上述したいずれかの方法実施例におけるステップを実現するように構成される。
【００６８】
また、本実施例において、上記記憶媒体は以上の各ステップを実行するためのコンピュータプログラムを記憶するように構成されることができる。
【００６９】
また、本実施例において、上記記憶媒体には、ＵＳＢ、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、モバイルハードディスク、ディスク又はＣＤ等のコンピュータプログラムを記憶可能な各種の媒体が含まれるが、これらに限定されることはない。
【００７０】
本発明の実施例によると、メモリとプロセッサとを含む電子装置をさらに提供し、このメモリにコンピュータプログラムが記憶され、このプロセッサはコンピュータプログラムを実行することで上述したいずれかの方法実施例におけるステップを実現するように構成される。
【００７１】
また、上記電子装置は伝送装置と入出力装置をさらに含むことができ、ここで、この伝送装置は上記プロセッサに接続され、この入出力装置は上記プロセッサに接続される。
【００７２】
また、本実施例の具体的な実例については、上記実施例及び選択可能な実施形態で説明された例を参照することができ、本実施例においては説明を省略する。
【００７３】
上述した本発明の各モジュールまたは各ステップを汎用の計算装置によって実現することができ、1つの計算装置に集めることができ、または複数の計算装置からなるネットワークに分布することもでき、また、計算装置が実行可能なプログラムコードによって実現してそれを記憶装置に記憶して計算装置に実行させることもでき、場合によっては、図示されたステップ又は説明されたステップをここで説明した順とは異なる順で実行することもでき、またはそれぞれ集積回路モジュールに作成し、またはそのうちの複数のモジュールまたはステップを1つの集積回路モジュールに作成することができることを、当業者は理解できる。このように、本発明は特定のハードウェアとソフトウェアとの組合せに限定されない。
【００７４】
以上は、本発明の好適な実施例に過ぎず、本発明を限定するものではない。当業者であれば、本発明に様々な修正や変形を加えることができる。本発明の原則内での全ての修正、等価置換、改良などは本発明の保護範囲に含まれる。
【図１】
2021517380.tif 000003
【図２】
2021517380.tif 000004
【図３】
2021517380.tif 000005
【図４】
2021517380.tif 000006
【図５】
2021517380.tif 000007
【図６】
2021517380.tif 000008
【図７】
2021517380.tif 000009
【図８】
2021517380.tif 000010
【図９】
2021517380.tif 000011
【図１０】
2021517380.tif 000012
【図１１】
2021517380.tif 000013
【図１２】
2021517380.tif 000014
【国際調査報告】
2021517380.tif 000015
2021517380.tif 000016
2021517380.tif 000017
2021517380.tif 000018